(57)【要約】【課題】認証時の秘匿性を向上させる。【解決手段】実施形態の情報処理装置は、筐体の第１の面にタッチ画面が設けられた情報処理装置において、前記筐体の第１の面の反対側の第２の面に設けられた第１の操作部と、前記第１の操作部の操作によって認証処理を行う認証部とを具備し、認証時において、筐体裏面の第１の操作部を操作することで認証を受理するように規定することができ、認証操作が他人に覗かれにくく、認証操作の秘匿性を高め、セキュリティを向上させることができる。【選択図】図３
2014109848.tif 000002
【特許請求の範囲】
【請求項１】
筐体の第１の面にタッチ画面が設けられた情報処理装置において、
前記筐体の第１の面の反対側の第２の面に設けられた第１の操作部と、
前記第１の操作部の操作によって認証処理を行う認証部と
を具備した情報処理装置。
【請求項２】
前記認証部は、前記第１の操作部の操作回数及び操作時間の少なくとも１つを規定した認証条件を用いて認証処理を行う
請求項１に記載の情報処理装置。
【請求項３】
前記認証部は、前記第１の操作部及び前記タッチ画面の操作によって、認証処理を行う
請求項１又は２に記載の情報処理装置。
【請求項４】
前記筐体の第２の面以外の面に設けられた第２の操作部を具備し、
前記認証部は、前記第１及び第２の操作部の操作によって、認証処理を行う
請求項１又は２に記載の情報処理装置。
【請求項５】
前記第１の操作部は、複数の操作部によって構成され、
前記認証部は、前記複数の操作部の操作順、操作回数及び操作時間の少なくとも１つを規定した認証条件を用いて認証処理を行う
請求項１に記載の情報処理装置。
【請求項６】
前記認証部は、前記複数の操作部及び前記タッチ画面の操作によって、認証処理を行う
請求項５に記載の情報処理装置。
【請求項７】
筐体の第１の面にタッチ画面が設けられた情報処理装置の認証方法であって、
前記筐体の第１の面の反対側の第２の面に設けられた第１の操作部の操作を検出し、
予め定められた認証条件により規定された操作と検出した前記第１の操作部の操作との比較によって認証を行う
情報処理装置の認証方法。
【請求項８】
前記タッチ画面の操作を検出し、
予め定められた認証条件により規定された操作と検出した前記第１の操作部の操作及び前記タッチ画面の操作との比較によって認証を行う
請求項７に記載の情報処理装置の認証方法。
【請求項９】
筐体の第１の面にタッチ画面が設けられた情報処理装置の認証プログラムであって、
コンピュータに、
前記筐体の第１の面の反対側の第２の面に設けられた第１の操作部の操作を検出する手順と、
予め定められた認証条件により規定された操作と検出した前記第１の操作部の操作との比較によって認証を行う手順と
を実行させるための情報処理装置の認証プログラム。
【請求項１０】
コンピュータに、
前記タッチ画面の操作を検出する手順と、
予め定められた認証条件により規定された操作と検出した前記第１の操作部の操作及び前記タッチ画面の操作との比較によって認証を行う手順と
を実行させるための請求項９に記載の情報処理装置の認証プログラム。
【発明の詳細な説明】
【技術分野】
【０００１】
本発明の実施形態は、情報処理装置、情報処理装置の認証方法及び情報処理装置の認証プログラムに関する。
【背景技術】
【０００２】
従来、スマートフォンやタブレット装置等の携帯型の情報処理装置が普及している。これらの情報処理装置は、表示画面にタッチパネルを積層して表示画面上でのタッチ操作を可能にしたタッチ画面を備えたものが多い。
【０００３】
このようなタッチ画面を備えた情報処理装置においては、筐体表面にタッチ画面を備えると共に、筐体表面のタッチ画面の周辺や筐体側面に、機械的又は電気的に操作可能な各種スイッチを備えている。例えば、側面等には電源スイッチが配設されることがあり、この電源スイッチの操作によって、装置の電源投入やスリープ解除等を行うことができる。
【０００４】
ところで、この種の情報処理装置においては、起動時のロック解除方法として種々の方法が採用されている。例えば、最も簡単なロック解除方法としては、電源投入やスリープ解除後にタッチ画面上において、スワイプ操作を行う方法がある。また、タッチ画面上のスライド操作によって所定の形状を描くことにより認証を行って、ロックを解除する手法が採用されることもある。また、キー入力操作によって暗証番号等を入力することによって、認証及びロック解除を行う手法が採用されることもある。
【０００５】
しかしながら、この種の情報処理装置は、軽量薄型で携帯性に優れており、公共の場など近くに他人がいる場所で使用されることも多い。このため、認証操作時においてタッチ画面やキー操作部が覗き込まれやすく、セキュリティを確保することが比較的困難である。
【先行技術文献】
【特許文献】
【０００６】
【特許文献１】特開２０１２−５９２４１号公報
【発明の概要】
【発明が解決しようとする課題】
【０００７】
本発明の実施の形態は、認証時の秘匿性を向上させることができる情報処理装置、情報処理装置の認証方法及び情報処理装置の認証プログラムを提供することを目的とする。
【課題を解決するための手段】
【０００８】
実施形態の情報処理装置は、筐体の第１の面にタッチ画面が設けられた情報処理装置において、前記筐体の第１の面の反対側の第２の面に設けられた第１の操作部と、前記第１の操作部の操作によって認証処理を行う認証部とを具備する。
【図面の簡単な説明】
【０００９】
【図１】本発明の第１の実施の形態に係る情報処理装置を示す概略図。
【図２】図１の情報処理装置を表面及び裏面から示す概略図。
【図３】情報処理装置１１の回路ブロックを示すブロック図。
【図４】第１の実施の形態の動作を説明するためのフローチャート。
【図５】本発明の第２の実施の形態を示すブロック図。
【図６】第２の実施の形態の動作を説明するためのフローチャート。
【図７】本発明の第３の実施の形態を示す概略図。
【発明を実施するための形態】
【００１０】
以下、図面を参照して本発明の実施の形態について詳細に説明する。
【００１１】
（第１の実施の形態）
図１は本発明の第１の実施の形態に係る情報処理装置を示す概略図である。図１は情報処理装置の外観を上面から見て示すものである。図２は図１の情報処理装置の筐体を表面及び裏面から示す概略図であり、図２（ａ）は筐体表面を示す正面図であり、図２（ｂ）は筐体裏面を示す背面図である。
【００１２】
図１及び図２において、情報処理装置１１は、例えば、スマートフォンやタブレット装置等の情報端末として利用することができるものである。情報処理装置１１は薄型の筐体１２を有しており、筐体１２の表面１３側には、タッチ画面１４が配設されている。筐体１２の表面１３のタッチ画面１４の下方には、複数の表面操作部１９が設けられている。また、筐体１２の上面１５には、上面操作部１６が配設されており、裏面１７には裏面操作部１８が配設されている。
【００１３】
図３は情報処理装置１１の回路ブロックを示すブロック図である。
【００１４】
タッチ画面１４は、表示パネル１４ａの表示画面上にタッチパネル１４ｂを積層して構成される。表示パネル１４ａとしては、液晶パネルや有機ＥＬパネル等を採用することができ、タッチパネル１４ｂとしては、抵抗膜方式や静電容量方式等の種々の方式のパネルを採用することができる。
【００１５】
表示制御部２２は、制御部２１に制御されて、表示に関する各種処理を実行する。例えば、表示制御部２２は、制御部２１に制御されて、各種メニューやユーザインタフェース用の表示、ソフトウェアキーボードの表示、タッチ操作のタッチ位置やスライド操作の軌跡の表示、各種アプリケーションに基づく表示或いは図示しないカメラからの映像や保存している映像データに基づく表示等の種々の表示が可能である。
【００１６】
タッチパネル１４ｂは、タッチやスライド操作の座標情報をタッチ検出部２３に出力するようになっている。タッチ検出部２３は、タッチパネル１４ｂからの座標情報に基づいて、ユーザのタッチ操作を検出して検出結果を操作判定部２４に出力する。
【００１７】
操作判定部２４は、図示しないメモリに記憶されたタッチ操作判定用のテーブルを参照することで、ユーザのタッチ操作を判定し、操作判定結果を制御部２１に出力する。制御部２１は、情報処理装置１１全体の制御を司るものであり、ユーザのタッチ操作に応じた制御を行うことができる。
【００１８】
例えば、制御部２１は、表示制御部２２を制御して、表示パネル１４ａの表示画面上にソフトウェアキーボードを表示させることができる。この場合には、ユーザがタッチパネル１４ｂをタッチすることで、タッチ位置の座標情報から、操作判定部２４においてタッチ位置におけるキー操作が判定され、当該キーに対応するコード情報が制御部２１に供給される。
【００１９】
また、例えば、制御部２１は、表示制御部２２を制御して、表示パネル１４ａの表示画面上にユーザのスライド操作に応じた表示を表示させることができる。この場合には、ユーザがタッチパネル１４ｂをスライド操作することで、スライド位置の座標情報から、操作判定部２４においてユーザが表示画面上のいずれの位置においてスライド操作を行ったかが判定され、当該スライド操作に対応する情報が制御部２１に供給される。
【００２０】
ロック制御部２５は、制御部２１に制御されて、操作判定部２４及び表示制御部２２の一部の動作をロック制御することができるようになっている。例えば、制御部２１は、電源投入後において、省電力やセキュリティ等の観点から所定時間操作が行われない場合や上面操作部１６による表示オフ操作やスリープ操作が行われた場合等には、ロック制御部２５を制御して、例えば画面表示を消灯させると共にタッチ画面１４の操作を受け付けないロック状態を設定する。
【００２１】
ロック制御部２５のロック解除動作によって、操作判定部２４及び表示制御部２２は全ての動作が可能となる。なお、ロック制御部２５は、操作判定部２４及び表示制御部２２の一部の動作のロックだけでなく、情報処理装置１１に設けた他の操作部に対するロック制御及びロック解除を行うようにしてもよい。
【００２２】
本実施の形態においては、ロック制御部２５のロック解除動作に先立つ認証処理のために、裏面操作部１８が設けられている。裏面操作部１８は、例えば、ボタンスイッチによって構成されており、ユーザの押圧操作に応じた信号を入力判定部２６に出力するようになっている。
【００２３】
裏面操作部１８は、筐体２１の裏面１７に設けられており、ユーザが、タッチ画面１４の表示画面を上方に向けた状態で例えば手で筐体２１を保持している状態では、極めて見にくい状態になっていると考えられる。図１の例は、例えばスマートフォン等のようにユーザが片手で把持可能なサイズを想定しており、裏面操作部１８は、ユーザが筐体２１を保持した状態でユーザの手に隠れて見にくい状態となる。なお、裏面操作部１８は、ユーザが筐体２１を保持した状態で手指に近接した位置に配置してもよい。これにより、ユーザは手指を大きく移動させることなく、簡単に操作が可能であると共に、他人に気付かれずに裏面操作部１８を操作することも可能である。
【００２４】
入力判定部２６は、裏面操作部１８に対する操作があったか否かを判定し、判定結果を認証部２７に出力する。認証条件記憶部２８は、対象のユーザであることを認証するために、予め設定された裏面操作部１８の操作の内容が記述された認証条件を保持する。認証部２７は、認証条件記憶部２８に記憶されている認証条件及び時計部２９からの時間情報を参照し、認証条件に規定された操作と裏面操作部１８の操作の判定結果との比較によって認証を行う。なお、認証条件は、ユーザによって設定可能に構成してもよい。
【００２５】
例えば、認証条件記憶部２８には、裏面操作部１８を１回押圧操作することによって、対象ユーザと認証するための認証条件を登録してもよく、裏面操作部１８を所定時間内に所定回数連続的に押圧操作した場合に、対象ユーザと認証するための認証条件を登録してもよく、更に、時間及び回数に関して複雑化した押圧操作によって対象ユーザと認証するための認証条件を登録してもよい。
【００２６】
認証部２７は、裏面操作部１８の認証操作と、認証条件によって規定された操作とが一致することによって認証を受理する。
【００２７】
認証部２７は、認証結果を制御部２１に出力するようになっている。制御部２１は、ロック制御状態において、認証部２７から対象ユーザを認証したことを示す認証結果が与えられると、ロック解除部２５にロック解除を設定するようになっている。
【００２８】
次に、このように構成された実施の形態について図４のフローチャートを参照して説明する。
【００２９】
いま、電源投入後において、表示オフ操作が行われたものとする。この場合には、制御部２１は例えばスリープモードに移行し、ロック制御部２５を制御してロック状態を設定する。例えば、ロック制御部２５は、表示制御部２２を制御して画面表示を消灯させると共に、操作判定部２４を制御してタッチ画面の操作を受け付けないように設定する。
【００３０】
情報処理装置１１は、ユーザのロック状態の解除に、認証処理を要求する。制御部２１は、ステップＳ１において、スリープ解除や画面表示の点灯操作の有無を判定する。これらの操作が発生すると、制御部２１は、表示制御部２２を制御して、ユーザの認証操作を要求する認証画面を表示させる（ステップＳ２）。こうして、制御部２１は、認証処理の待機状態となる。即ち、制御部２１は、ステップＳ３において、ユーザによる裏面操作部１８の操作待ち状態となる。
【００３１】
ここで、ユーザによって裏面操作部１８の操作が行われると、入力判定部２６は裏面操作の判定結果を認証部２７に出力する。なお、裏面操作部１８が筐体１２の裏面１７に設けられているので、タッチ画面１４を上から見るような通常の操作状態では、裏面操作部１８の操作は視認されにくく、秘匿性が高い。認証部２７は、裏面操作の判定結果と、認証条件記憶部２８に記憶されている条件との一致比較を行う（ステップＳ４）。ユーザが認証条件として登録されている操作を行った場合には、認証部２７は、操作が対象ユーザの認証操作であるものと判定して、認証結果を制御部２１に出力する。こうして、制御部２１は認証を受理する（ステップＳ５）。
【００３２】
制御部２１は、認証を受理すると、ロック制御部２５にロック解除を要求する。ロック制御部２５は、表示制御部２２を制御して画面表示を点灯させると共に、操作判定部２４を制御してタッチ画面の操作の受け付けを再開させる。こうして、ロックが解除される（ステップＳ６）。
【００３３】
このように本実施の形態においては、タッチ画面が配置されていない筐体裏面に認証用の操作部を設けており、ユーザは、他人に知られることなく、認証操作が可能であり、セキュリティを向上させることができる。
【００３４】
なお、図１の例では、裏面操作部１８は、筐体１２の裏面１７から突出して設けられているが、操作面が裏面１７から突出しないように設けてもよく、また、ボタンスイッチに限らず各種スイッチを採用することができる。例えば、裏面操作部１８としては、静電容量方式や抵抗膜方式等の種々の方式を採用したタッチパッドを用いてもよい。
【００３５】
また、裏面操作部１８の１回の押圧操作のみによって認証を受理する場合には、認証部２７、認証条件記憶部２８及び時計部２９は省略可能であり、入力判定部２６の出力を直接制御部２１に供給することで、認証処理が可能である。
【００３６】
（第２の実施の形態）
図５は本発明の第２の実施の形態を示すブロック図である。図５において図１と同一の構成要素には同一符号を付して説明を省略する。
【００３７】
第１の実施の形態においては、裏面操作部１８のみの操作によって認証を行ったのに対し、本実施の形態は、裏面操作部１８の操作とタッチ画面１４の操作とを組み合わせて認証を行う点が第１の実施の形態と異なる。
【００３８】
認証部３１には、入力判定部２６の判定結果と操作判定部２４の判定結果とが与えられる。認証条件記憶部２８は、対象のユーザであることを認証するために、裏面操作部１８及びタッチ画面１４の操作の内容が記述された認証条件を保持する。認証部２７は、認証条件記憶部２８に記憶されている認証条件及び時計部２９からの時間情報を参照し、認証条件によって規定された操作と裏面操作部１８及びタッチ画面１４の操作の判定結果との比較によって認証を行う。
【００３９】
タッチ画面１４に対する認証のための操作としては、例えば、スワイプ操作、画像パターンの指定操作、認証番号等の入力操作等がある。例えば、認証条件として、裏面操作部１８の所定の操作の後にタッチ画面１４の所定の操作が行われた場合に認証を受理するように規定してもよく、逆に、タッチ画面１４の所定の操作の後に裏面操作部１８の所定の操作が行われることを規定してもよく、裏面操作部１８とタッチ画面とに対して所定の順番で所定の操作が行われた場合に認証を受理するように規定してもよい。また、裏面操作部１８とタッチ画面１４とに対して同時に所定の操作を行うことで認証を受理するように認証条件を規定してもよい。
【００４０】
なお、認証部３１は、認証を受理するための全ての認証操作のうち、裏面操作部１８による認証操作又はタッチ画面１４による認証操作が正しく行われる毎に、一部の認証結果を制御部２１に出力するようにしてもよい。この場合には、制御部１２は、次の認証操作を裏面操作部１８又はタッチ画面１４のいずれで行えばよいかを示すメッセージ表示を、表示制御部２２によって表示パネル１４ａの表示画面上に表示させることが可能である。
【００４１】
次に、このように構成された実施の形態の動作について図６のフローチャートを参照して説明する。図６において図４と同一の手順について同一符号を付して説明を省略する。図６は裏面操作部１８に対する認証操作の後にタッチ画面１４による認証操作を行うことで、認証が受理される場合の例を示している。
【００４２】
いま、図５の情報処理装置は、スリープモードにおいてロック状態に設定されているものとする。ここで、ユーザが、スリープ解除や画面表示の点灯操作を行うものとする。これらの操作が発生すると、制御部２１は、ステップＳ２において、ロック制御部２５を制御して、ユーザの認証操作を要求する認証画面を表示制御部２２によって表示させると共に、タッチ画面１４の認証操作のための操作判定を操作判定部２４に許可させる。
【００４３】
ユーザが裏面操作部１８によって認証操作を行うと、入力判定部２６の判定結果と、認証条件記憶部２８の認証条件との比較によって、認証部３１は裏面操作部１８によって認証操作が行われたか否かを判定する（ステップＳ４）。正しい認証操作が行われている場合には、認証部３１は裏面操作部１８による認証操作が正しいことを示す判定結果を制御部２１に出力する。制御部２１は、表示制御部２２を制御して、次にタッチ画面１４を操作することで認証が受理されてロック解除されることを示すメッセージ表示を表示パネル１４ａの表示画面上に表示させる。
【００４４】
次にステップＳ１２において、タッチ画面１４による認証操作の待機状態となる（ステップＳ１２）。タッチ画面１４のタッチ操作が行われると、操作判定部２４はタッチ検出部２３の検出結果からスワイプ操作や画像パターンの指定操作や認証番号等の入力操作を判定して、判定結果を認証部３１に出力する。認証部３１は、操作判定部２４の判定結果と、認証条件記憶部２８の認証条件との比較によって、タッチ画面１４によって正しく認証操作が行われたか否かを判定する（ステップＳ１３）。
【００４５】
タッチ画面１４によって正しい認証操作が行われている場合には、認証部３１は正しく認証操作が行われたことを示す判定結果を制御部２１に出力する。これにより、制御部２１は、認証を受理し、ロック制御部２５にロック解除を要求する。
【００４６】
このように本実施の形態においても、タッチ画面が配置されていない筐体裏面に設けた認証用の操作部の操作によって認証を行うようになっており、認証操作の秘匿性が高い。更に、本実施の形態においては、裏面操作部とタッチ画面との両方によって認証操作を行うことで認証を受理するようになっており、セキュリティを一層向上させることができる。
【００４７】
（第３の実施の形態）
図７は本発明の第３の実施の形態を示す概略図である。図７（ａ）は筐体の上面図であり、図７（ｂ）は筐体表面を示す正面図であり、図７（ｃ）は筐体裏面を示す背面図である。図７において図１及び図２と同一の構成要素には同一符号を付して説明を省略する。
【００４８】
本実施の形態における情報処理装置４１は、筐体１２の裏面１７に４つの裏面操作部１８ａ〜１８ｄが配設されている。裏面操作部１８ａ〜１８ｄは、例えば、ボタンスイッチによって構成されており、夫々ユーザの押圧操作に応じた信号を入力判定部２６（図３又は図５参照）に出力するようになっている。
【００４９】
なお、図７では４つの裏面操作部１８ａ〜１８ｄを設けた例について説明するが、個数は４個に限定されるものではなく、ユーザが裏面操作可能な任意の数の裏面操作部を設けてもよい。また、図７では、裏面操作部１８ａ〜１８ｄをボタンスイッチによって構成する例について示すが、ボタンスイッチに限らず、各種スイッチやタッチパッドやこれらの組み合わせを採用してもよい。
【００５０】
また、本実施の形態における回路構成は、裏面操作部の個数に対応した数（図７では４）の入力が可能な入力判定部２６を採用する点を除き、図３又は図５の回路と同様である。即ち、本実施の形態を図３に対応する第１の実施の形態に適用した場合には、４つの裏面操作部１８ａ〜１８ｄの操作順、操作回数、操作時間等を認証条件として規定することができる。例えば、所定時間内に裏面操作部１８ａ〜１８ｄの順に１回ずつ押圧操作することを認証条件としてもよく、また例えば、所定時間内に裏面操作部１８ａ〜１８ｄの順に１回、２回、３回、４回押圧操作することを認証条件としてもよい。
【００５１】
また、本実施の形態を図５に対応する第２の実施の形態に適用した場合には、４つの裏面操作部１８ａ〜１８ｄの操作順、操作回数、操作時間と、タッチ画面１４の操作とを組み合わせて認証条件として規定することができる。例えば、裏面操作部１８ａの１回の押圧操作の次に、タッチ画面１４をスワイプ操作し、次いで裏面操作部１８ｄの２回の押圧操作を行い、更に、タッチ画面１４に対するスライド操作によって星形の図形を描くこと等を認証条件としてもよい。
【００５２】
いずれの場合にも、裏面操作部１８ａ〜１８ｄが筐体１２の裏面１７に設けられていることから、裏面操作部１８ａ〜１８ｄの操作を他人が確認することは困難であり、認証操作の秘匿性を向上させることができる。しかも、複数の裏面操作部１８ａ〜１８ｄに対する操作を他人が確認することは、極めて困難であり、セキュリティ効果は極めて高い。
【００５３】
このように本実施の形態においても第１又は第２の実施の形態と同様の効果が得られると共に、セキュリティ効果を一層向上させることが可能である。
【００５４】
なお、上記第２，第３の実施の形態においては、タッチ画面と裏面操作部との認証操作によって認証を受理する例について説明したが、タッチ画面の操作に代えて他の操作部と裏面操作部の操作との組み合わせによって認証を行うようにしてもよい。更に、顔認証のための撮影操作や指紋認証と裏面操作部との操作との組み合わせによって認証を受理するように構成してもよい。
【００５５】
本発明は、上記実施形態に限定されるものではなく、実施段階ではその要旨を逸脱しない範囲で種々に変形することが可能である。また、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００５６】
なお、本実施の形態は、専用のハードウエアを用いずとも、汎用のプロセッサを用いたソフトウエアによる処理で実現することができる。例えば、図４，図６の動作フローに従ったコンピュータプログラムを用いて、これをＦＤ、ＭＯ、ＣＤ−ＲＯＭ等の記録媒体を通じてコンピュータに導入して実行させることにより、上記実施の形態を実現することができる。
【符号の説明】
【００５７】
１１…情報処理装置、１２…筐体、１４…タッチ画面、１６…上面操作部、１７…裏面、１８…裏面操作部、２１…制御部、２２…表示制御部、２４…操作判定部、２５…ロック制御部、２６…入力判定部、２７…認証部、２８…認証条件記憶部。
【図１】
2014109848.tif 000003
【図２】
2014109848.tif 000004
【図３】
2014109848.tif 000005
【図４】
2014109848.tif 000006
【図５】
2014109848.tif 000007
【図６】
2014109848.tif 000008
【図７】
2014109848.tif 000009